(57)【要約】【課題】ユニットの取り外しの為の余分なスペースを必要とせず、容易に取り外せることができる電子機器を提供することを目的とする。【解決手段】第１の収容部１４の仕切壁１４ａに開口部１６を形成する。光ディスク装置１０が第２の収容部１３に収容されている際は、開口部１６より光ディスク装置１０の後端部１０ａのエッジが第１の収容部１４方向に露出される。第１の収容部１４側よりドライバ３０等の先端を開口部１６に挿入し、光ディスク装置１０の後端部１０ａに当てる。この状態で、ドライバ３０の先端を第１のコネクタ１１および第２のコネクタ１７ａとの接続を解除する方向に光ディスク装置１０の後端部１０ａを押す。【選択図】  図９
2004240722.tif 000002
【特許請求の範囲】
【請求項１】
第１のユニットを収容する第１の収容部と、上記第１の収容部に隣接して設けられるとともに第１のコネクタを有する第２のユニットを収容する第２の収容部とを備える本体と、
上記第２の収容部に設けられ、上記第２のユニットが上記第２の収容部へ収容された際、上記第２のユニットの上記第１のコネクタに接続される第２のコネクタと、
上記本体に設けられ、上記第１および第２の収容部を仕切る仕切り壁と、
上記第２のユニットを上記第２の収容部へ収容した際、上記仕切り壁の上記第２のユニットの後端部に対応する位置に形成されるとともに、上記第１の収容部方向に上記第２のユニットの後端部を露出する開口部と、
を具備することを特徴とする電子機器。
【請求項２】
上記第２のユニットは上記本体にネジ固定されることを特徴とする請求項１記載の電子機器。
【請求項３】
他機能部品が収容される第３の収容部と、上記第２の収容部および上記第３の収容部とを覆うように設けられる回路基板とを具備し、上記第２のユニットは上記回路基板とともに上記本体にネジ固定されることを特徴とする請求項２記載の電子機器。
【請求項４】
第１のユニットを収容する第１の収容部と、上記第１の収容部に隣接して設けられるとともに第１のコネクタを有する第２のユニットを収容する第２の収容部と、キーボード載置部とを備える本体と、
上記第２の収容部に設けられ、上記第２のユニットが上記第２の収容部へ収容された際、上記第２のユニットの第１のコネクタに接続される第２のコネクタと、
上記第２の収容部に収容された上記第２のユニットを固定するとともに、上記キーボード載置部を介して上記第２のユニットの固定を解除可能な固定部材と、
上記固定部材を覆うように、上記キーボード載置部に着脱可能に載置されるキーボードと、
上記本体に設けられ、上記第１および第２の収容部を仕切る仕切り壁と、
上記第２のユニットを上記第２の収容部へ収容した際、上記仕切り壁の上記第２のユニットの後端部に対応する位置に形成されるとともに、上記第１の収容部方向に上記第２のユニットの後端部を露出する開口部と、
を具備することを特徴とする電子機器。
【請求項５】
上記開口部は、上記第１のユニットが上記第１の収容部へ収容された際、上記第１のユニットにより閉鎖されることを特徴とする請求項１または４記載の電子機器。
【請求項６】
上記本体に設けられ、他機能部品を収容する第３の収容部と、上記第２の収容部と上記第３の収容部とを覆うように設けられる回路基板と、を具備し、上記第２のユニットは上記キーボード載置部を介して上記回路基板とともに上記本体にネジ固定されることを特徴とする請求項５記載の電子機器。
【請求項７】
上記固定部材はネジであることを特徴とする請求項６記載の電子機器。
【請求項８】
上記第１の収容部には着脱可能に収容される電池パックが収容されることを特徴とする請求項４記載の電子機器。
【請求項９】
上記電池パックはロック機構により上記第１の収容部に固定されることを特徴とする請求項８記載の電子機器。
【発明の詳細な説明】
【０００１】
【発明の属する技術分野】
本発明は、電子機器における着脱ユニットの着脱構造に関する。
【０００２】
【従来の技術】
従来、近年、ノートブック型のパーソナルコンピュータには、ＣＤ−ＲＯＭドライブや、ＤＶＤドライブ、ＣＤ−Ｒドライブなど、種々のディスク装置に挿入された光ディスクメディアにより、大容量の動画像データなどの再生が可能となった。そして、これらディスク装置は、パーソナルコンピュータの使用状況、ユーザーの希望に応じて、それぞれ最適なディスクドライブを選択的に設置し、利用されている。これら種々のディスク装置を選択的に着脱する際に、従来は、コンピュータ本体を分解し、固定ネジなどを外してディスク装置を取り外す構造、または別に設けられた取り出しレバーなどのイジェクト機構により簡単に取り外し可能なものなどがある。
【０００３】
このような電子機器においてはディスク装置をパーソナルコンピュータに着脱する際に、上述したコンピュータ本体を分解する方法では、本体部の分解のための作業時間を多く必要とする等の問題点があった。また上述した取り出しレバーなどによる着脱方法においては、取り出しレバーなどを本体外面に設ける必要があり、コストアップや、本体構造の大型化等の問題点が生じていた。  このような問題点を解決するために、特許文献１に記載のような電子機器も提案されている。特許文献１に記載の電子機器は、ディスク装置を取り外す際、キーボードを取り外し、キーボード載置部に設けられる指挿入部に指を入れ、ディスク装置の後端部をコネクタ非接続方向に押すことでディスク装置を取り外すことが提案されている。（特許文献１参照）
【０００４】
【特許文献１】
特開２００２−７３２０９号公報（第３頁および第２図）
【０００５】
【発明が解決しようとする課題】
しかしながら、特許文献１に記載の電子機器においては、本体内部に指を入れるためのスペースを必要とし、高密度実装の妨げとなると言う問題を有していた。
【０００６】
そこで本発明は、ユニットの取り外しの為の余分なスペースを必要とせず、容易に取り外せることが可能な電子機器を提供することを目的とする。
【０００７】
【課題を解決するための手段】
上記目的を達成するために、請求項１に係る電子機器においては、第１のユニットを収容する第１の収容部と、第１の収容部に隣接して設けられるとともに第１のコネクタを有する第２のユニットを収容する第２の収容部とを備える本体と、第２の収容部に設けられ、第２のユニットが第２の収容部へ収容された際、第２のユニットの第１のコネクタに接続される第２のコネクタと、本体に設けられ、第１および第２の収容部を仕切る仕切り壁と、第２のユニットを第２の収容部へ収容した際、仕切り壁の第２のユニットの後端部に対応する位置に形成されるとともに、第１の収容部方向に第２のユニットの後端部を露出する開口部と、を具備することを特徴とする。
【０００８】
請求項４に係る電子機器においては、第１のユニットを収容する第１の収容部と、第１の収容部に隣接して設けられるとともに第１のコネクタを有する第２のユニットを収容する第２の収容部と、キーボード載置部とを備える本体と、第２の収容部に設けられ、第２のユニットが第２の収容部へ収容された際、第２のユニットの第１のコネクタに接続される第２のコネクタと、第２の収容部に収容された第２のユニットを固定するとともに、キーボード載置部を介して第２のユニットの固定を解除可能な固定部材と、固定部材を覆うように、キーボード載置部に着脱可能に載置されるキーボードと、本体に設けられ、第１および第２の収容部を仕切る仕切り壁と、第２のユニットを第２の収容部へ収容した際、仕切り壁の第２のユニットの後端部に対応する位置に形成されるとともに、第１の収容部方向に第２のユニットの後端部を露出する開口部と、を具備することを特徴とする。
【０００９】
このような構成により、ユニットの取り外しの為の余分なスペースを必要とせず、容易に取り外せることが可能となる。
【００１０】
【発明の実施の形態】
以下本発明に係る実施の形態を、図面を参照して説明する。図１は、電子機器の斜視図である。図１に示すように、パーソナルコンピュータ（電子機器）１は本体２とこの本体２に回動可能に接続される表示部３とを有している。本体２は筐体４を有しており、筐体４は下ケース４ａと上ケース４ｂとを有している。上ケース４ｂの前端部上面にはパームレスト（第１のカバー）２ａが取り付けられている。上ケース４ｂの上面にはキーボード５が着脱可能に取り付けられている。キーボード５の後方の上ケース４ｂ上面には第２のカバー２ｂが取り付けられる。本体２には後述する電池パック（第１のユニット）が取り付けられている。本体２にはＣＤ−ＲＯＭドライブ、ＤＶＤ−ＲＯＭドライブ等の光ディスク装置（第２のユニット）が取り付けられている。本体２の側面には光ディスク装置のトレイ部が露出されている。
【００１１】
図２は、電池パックの取り外し方を説明する図である。本体２の底面には電池パック（第１のユニット）２０が着脱可能に取り付けられている。電池パック２０を取り外す際は電子機器１を裏返しにし、下ケース４ａが上方に位置するようにする。電池パック２０はロック２１により後述する収容部（第１の収容部）にロックされている。電池パックを取り外す際はロック２１をロック解除位置にスライドさせた状態で電池パックを上方に引きあげることで取り外すことができる。これらロック２１およびロック構造等については従来と同様であるため説明を省略する。
【００１２】
図３は、下ケースの斜視図である。下ケース４ａには開口１５が形成されている。開口１５の周りには仕切壁１４ａ，１４ｂ，１４ｃにより電池パック２０を収容するための第１の収容部１４が形成されている。また、下ケース４ａには光ディスク装置１０を収容するための第２の収容部１３が形成されている。第１の収容部１４と第２の収容部１３とは隣接して配置され、仕切壁１４ａにより仕切られている。第２の収容部１３には光ディスク装置１０をネジ固定するためのボス１３ａが下ケース４ａに一体に形成されている。また仕切壁１４ａには開口部１６が形成されており、第１の収容部１４と第２の収容部１３とが連続するようになっている。
【００１３】
図４は、下ケースに光ディスクを装着した斜視図である。下ケース４ａの側面には開口部１３ｂが形成されている。この開口部１３ｂを介して下ケース４ａの第２の収容部１３には光ディスク装置１０が装着されている。光ディスク装置１０の後端部１０ａには第１のコネクタ１１および光ディスク装置１０を第２の収納部１３に固定するためにボス１３ａに対応する固定部１２が設けられている。なお、実際は後述する回路基板１７を下ケース４ａ内に実装した後に、回路基板に設けられている第２のコネクタ１７ａに光ディスク装置１０の第１のコネクタを接続することで、光ディスク装置１０を第２の装着部１３に実装することになる。ここでは、理解を容易にするために回路基板１７を除いた図面を参照している。
【００１４】
また、下ケース４ａには、第１の収容部１４および第２の収容部１３に隣接して第３の収容部１８が設けられる。第３の収容部１８には図示しないハードディスク装置やモデム等の他機能部品が収容される。
【００１５】
図５は、下ケースに回路基板および光ディスク装置を装着した斜視図である。下ケース４ａに回路基板１７が実装される。回路基板１７は第２の収容部１３および第３の収容部１８のほぼ全域を覆うような大きさに形成されている。回路基板１８を実装した後、光ディスク装置１０を第２の収容部１３に開口１３ｂを介して収容する。
【００１６】
図６は、下ケースに上ケースを取り付けた斜視図である。図６に示すように下ケース４ａに回路基板を実装した後に、上ケース４ｂを下ケース４ａに取り付ける。上ケース４ｂと下ケース４ａとの固定は、上ケース４ｂ側より複数のネジにより下ケースにネジ止めされる。このときこの固定ネジにより回路基板１８を介して光ディスク装置１０は前述のボス１３ａにネジ固定される。
【００１７】
また、上ケース４ｂは上面前端部１９ａ、キーボード載置部１９ｂ、上面後端部１９ｃを有している。
【００１８】
図７は、上ケースに第１のカバーを取り付けた斜視図である。上ケース４ｂの上面前端部１９ａにはパームレスト（第１のカバー）２ａが取り付けられる。第１のカバー２ａは単に上ケース４ｂに図示しないラッチにより固定される。第１のカバー２ａは上ケース４ｂの前端部に固定されているネジを覆っている。
【００１９】
図８は、上ケースに第１のカバーおよびキーボードを取り付けた斜視図である。第１のカバー２ａが上ケース４ｂの上面前端部１９ａに取り付けられた後、キーボード５がキーボード載置部１９ｂに着脱可能に取り付けられる。キーボード５の接続ケーブルやコネクタ等は図示を省略している。次に図１に示すように上ケース４ｂの上面後端部１９ｃに第２のカバー２ｂが取り付けられる。第１のカバー２ａおよび第２のカバー２ｂは上ケース４ｂとは図示しないラッチにより着脱可能に取り付きえられており、容易に取り外しが可能である。
【００２０】
つまりキーボード５を外す際は、第２のカバー２ｂを取り外した後、キーボードを外すことで容易に取り外すことができる。キーボード５は前端縁を図示しない第１のカバー２ａと上面前端部１９ａとの間に形成される図示しない係止部に係止させ、キーボード５の前端縁を軸にキーボード載置部１９ｂ方向に回転させるようにしてキーボード載置部１９ｂに載置される。続いて第２のカバー２ｂの前端縁によりキーボード５の後端縁を上面後端部との間に挟み込むことでキーボード５はキーボード５に固定されることになる。
【００２１】
次に光ディスク装置１０の取り外し方について説明する。図９は、第１の収容部および開口部を拡大した斜視図である。図１０は、光ディスクの取り外しを説明する図である。
【００２２】
図９に示すように、電池パック２０を収容する第１の収容部１４を規定する仕切壁１４ａには開口部１６が形成されている。仕切壁１４ａには軽量化の為に部分敵意に切欠き１４ｄが形成されている。光ディスク装置１０が第２の収容部１３に収容されている際は、開口部１６より光ディスク装置１０の後端部１０ａのエッジが第１の収容部１４方向に露出されている状態となっている。
【００２３】
光ディスク装置１０を第２の収容部１３より取り外す際は、まず、上述したように電池パック２０を第１の収容部１４より取り外す。
【００２４】
次に、上述したようにキーボード５をキーボード載置部１９ｂより取り外した後、まずネジをボス１３ａより取り外すことで、光ディスク装置１０の固定部１２の固定を解除する。次に図示しないが下ケース４ａが上方を向くように筐体４を裏返す。次に第１の収容部１４側よりドライバ３０等の先端を開口部１６に挿入し、光ディスク装置１０の後端部１０ａに当てる。この状態で、ドライバ３０の先端を第１のコネクタ１１および第２のコネクタ１７ａとの接続を解除する方向に光ディスク装置１０の後端部１０ａを押す。なお、図１０は容易に理解するために筐体４を裏返しにしていない状態を示している。
【００２５】
このような構成により光ディスク装置１０は容易に取り外すことができる。さらに、筐体４内に指等で押すためのスペースを確保する必要が無く余計なスペースを設ける必要が無い。
【００２６】
また、本発明においては、電池パックの収容部を介して光ディスク装置の取り外す方法について説明したが、電池パックの収容部の変わりにハードディスク装置、拡張メモリ、モデム等の収容部に適用しても良いし、着脱する対象装置は光ディスク装置に限らず、ハードディスク装置や電池パックであっても良い。本発明ではその主旨を逸脱しない範囲であれば、上記の実施形態に限定されるものではない。
【００２７】
【発明の効果】
以上詳述した発明によれば、ユニットの取り外しの為の余分なスペースを必要とせず、容易に取り外せることが可能である。
【図面の簡単な説明】
【図１】電子機器の斜視図。
【図２】電池パックの取り外し方を説明する図。
【図３】下ケースの斜視図。
【図４】下ケースに光ディスクを装着した斜視図。
【図５】下ケースに回路基板および光ディスク装置を装着した斜視図。
【図６】下ケースに上ケースを取り付けた斜視図。
【図７】上ケースに第１のカバーを取り付けた斜視図。
【図８】上ケースに第１のカバーおよびキーボードを取り付けた斜視図。
【図９】第１の収容部および開口部を拡大した斜視図。
【図１０】光ディスクの取り外しを説明する図。
【符号の説明】
１・・・パーソナルコンピュータ（電子機器）、２・・・本体、２ａ・・・パームレスト（第１のカバー）、２ｂ・・・第２のカバー、３・・・表示部、４・・・筐体、４ａ・・・下ケース、４ｂ・・・上ケース、５・・・キーボード、１０・・・光ディスク装置、１１・・・第１のコネクタ、１３・・・第２の収容部、１３ａ・・・ボス、１３ｂ・・・開口部、１４・・・第１の収容部、１４ａ，１４ｂ，１４ｃ・・・仕切壁、１５・・・開口、１６・・・開口部、１７・・・回路基板、１７ａ・・・第２のコネクタ、１８・・・第３の収容部、１９ａ・・・上面前端部、１９ｂ・・・キーボード載置部、１９ｃ・・・上面後端部、２０・・・電池パック（第１のユニット）、２１・・・ロック、３０・・・ドライバ
【図１】
2004240722.tif 000003
【図２】
2004240722.tif 000004
【図３】
2004240722.tif 000005
【図４】
2004240722.tif 000006
【図５】
2004240722.tif 000007
【図６】
2004240722.tif 000008
【図７】
2004240722.tif 000009
【図８】
2004240722.tif 000010
【図９】
2004240722.tif 000011
【図１０】
2004240722.tif 000012